(57)【要約】【課題】電子機器において、その外装構造における分割線を曲線等の自由な分割線にした際においても、組み立ての際に外観に傷がつくことを軽減する。【解決手段】電子機器は、第１の延出部２ａが設けられた第１の外装部材２と、第１の延出部２ａの内側に当接するように組み込まれる第２の延出部３ａが設けられた第２の外装部材３と、を有し、第２の延出部３ａには、組み込む際に第１の延出部２ａの軌跡上となる領域に段差部３ｄが設けられ、組み込む際には、第１の延出部２ａと前記段差部３ｄとが当接し、組み込まれた状態では、電子機器の外観に前記領域の少なくとも一部が露出されるとともに前記段差部３ｄが露出されない。【選択図】図１
2011150170.tif 000002
【特許請求の範囲】
【請求項１】
第１の延出部が設けられた第１の外装部材と、
前記第１の延出部の内側に当接するように組み込まれる第２の延出部が設けられた第２の外装部材と、を有する電子機器であって、
前記第２の延出部には、組み込む際に前記第１の延出部の軌跡上となる領域に段差部が設けられ、組み込む際には、前記第１の延出部と前記段差部とが当接し、組み込まれた状態では、前記電子機器の外観に前記領域の少なくとも一部が露出されるとともに前記段差部が露出されないことを特徴とする電子機器。
【請求項２】
前記第１の延出部には、内側に突起部が設けられ、
前記第２の延出部には、前記突起部の突起量よりも深い凹みを有する凹部が設けられ、
組み込まれた状態では、前記突起部が前記凹部に嵌り込むことを特徴とする請求項１記載の電子機器。
【請求項３】
前記突起部の少なくとも一部が、前記凹部の内側壁と干渉することを特徴とする請求項２に記載の電子機器。
【請求項４】
前記第１の外装部材は、前記電子機器の正面を覆う正面外装部材と一体化され、
前記第２の外装部材は前記電子機器の本体に取り付けられることを特徴とする請求項１ないし３のいずれか１項に記載の電子機器。
【発明の詳細な説明】
【技術分野】
【０００１】
本発明は、デジタルカメラ等の電子機器に関し、特に、傷の付き難い外装構造を有する電子機器に関する。
【背景技術】
【０００２】
近年、デジタルカメラ等の電子機器については、その意匠性が注目されており、意匠性に対する意識の高まりに伴って、電子機器の外装構造については、細かい部分に対しても配慮が求められるようになってきている。
【０００３】
一方で、外観の意匠性を重視したデザインの中には、使用時に部材同士の干渉によって外観部が傷つきやすいという課題が生じるものもある。そこで、このような外観部の傷つきを防止して、しかも意匠性を損なうことのないようにしたものが提案されている。
【０００４】
例えば、特許文献１では、デジタルカメラにおいて、前カバーの前面に、撮影レンズを覆う遮蔽位置と撮影レンズを露呈する撮影位置との間で幅方向に移動自在な保護カバーを取り付けるようにしたものが提案されている。このデジタルカメラでは、保護カバーの２つの位置、すなわち撮影レンズを覆う遮蔽位置と撮影レンズを露呈する撮影位置、のいずれの位置においても保護カバーによって覆われる第１の前面にのみ、保護カバーの背面を支持する突条を設けている。これによって、突条を保護カバーで常時覆って、意匠性を損なわないようにしている。
【０００５】
このように、特許文献１に記載のデジタルカメラにおいては、レンズ鏡筒を覆うレンズバリアが摺動する部位を、常にレンズバリアによって隠れる箇所に設定している。これによって、デジタルカメラの外観に傷が付かないように配慮している。
【０００６】
また、外観の意匠性を重視したデザインの中には、組み立て時に部材同士の干渉によって外装構造が傷つきやすいという課題が生じるものもある。
【０００７】
図８は、そうしたデザインの一例を示した図であって、従来のデジタルカメラの外装構造の一部分をその上面から拡大して示した図である。図８において、デジタルカメラ１００は、外装構造１０１を有しており、外装構造１０１の上面には、電源ボタン３１及びレリーズボタン（シャッターボタン）３２が配置されている。そして、レリーズボタン３２を囲むようにして、ズームレバー（望遠又は広角を操作するためのボタン）３３が配置されている。
【０００８】
図示の外装構造１０１は、センターカバー２及びトップカバー３を備えており、センターカバー２とトップカバー３とは円弧状の分割線１０３で密接して当接している。つまり、図示の例では、外装構造１０１の一部であるセンターカバー２とトップカバー３とが円弧状の分割線１０３で分割されていることになる。
【０００９】
そして、図示の外装構造１０１においては、分割線１０３で規定される分割部に隙間が形成されないように、センターカバー２とトップカバー３とを密接させて、互いに当接している。
【００１０】
このような外装構造１０１においては、センターカバー２とトップカバー３とを組み立てる際（つまり、組み込む際）、図中破線の丸印で示す箇所において、センターカバー２の凸部２ｂとトップカバー３の凸部３ｂとが互いに干渉してしまうことになる。なお、凸部２ｂは、図８に示すようにセンターカバー２の端部の上下に形成されており、凸部３ｂは、センターカバー２の上下に形成された凸部２ｂの間に組み合わさるようにトップカバー３に形成される。
【００１１】
つまり、分割線１０３で規定される分割部に隙間がないと、デジタルカメラ１００の組み立てに当たって、組み立ての軌跡上で凸部２ｂと凸部３ｂとが互いに干渉してしまう。このため、凸部２ｂ及び凸部３ｂ同士が互いに傷ついてしまうことがあり、傷つかないように組み立てようとすると、組み立てに支障が生じることがある。つまり、上手く組み立てができなくなる場合がある。
【００１２】
このような傷つきを容易に回避するためには、凸部２ｂ及び凸部３ｂの曲率又は突出量に応じて上記の分割部に隙間を設けて、組み立ての際に凸部２ｂ及び凸部３ｂが互いに干渉しないような構成が考えられる。
【先行技術文献】
【特許文献】
【００１３】
【特許文献１】特開平１１−３３８００９号公報
【発明の概要】
【発明が解決しようとする課題】
【００１４】
しかしながら、このような隙間を形成すると、今度は、隙間の下側にある部分（底面部）が外側から見えることになってしまう。つまり、底面部が新たに外装（外観部）の一部となってしまう。
【００１５】
このような場合、隙間から見える底面部を、デジタルカメラ１００を構成する外装部材が摺動してしまい、この摺動によって傷ついた底面部が外観に露出されてしまう。
【００１６】
従って、本発明の目的は、外装構造における分割線を曲線等の自由な分割線にした際においても、組み立ての際に外観に傷がつくことを軽減したデジタルカメラ等の電子機器を提供することにある。
【課題を解決するための手段】
【００１７】
上記の目的を達成するために、本発明にかかる電子機器は、第１の延出部が設けられた第１の外装部材と、前記第１の延出部の内側に当接するように組み込まれる第２の延出部が設けられた第２の外装部材と、を有する電子機器であって、前記第２の延出部には、組み込む際に前記第１の延出部の軌跡上となる領域に段差部が設けられ、組み込む際には、前記第１の延出部と前記段差部とが当接し、組み込まれた状態では、前記電子機器の外観に前記領域の少なくとも一部が露出されるとともに前記段差部が露出されないことを特徴とする。
【発明の効果】
【００１８】
以上のように、本発明によれば、組み立ての際に外観に傷がつくことを軽減することができる。
【図面の簡単な説明】
【００１９】
【図１】本発明の実施の形態によるデジタルカメラの第１の例を正面から示す斜視図である。
【図２】図１に示すデジタルカメラの上面の一部を拡大して示す図である。
【図３】図１に示すデジタルカメラを上方から見た図である。
【図４】図３のＡ−Ａ線に沿った断面図である。
【図５】図３のＢ−Ｂ線に沿った断面図である。
【図６】本発明の実施の形態によるデジタルカメラの第２の例において、その上面の一部を拡大して示す図である。
【図７】本発明の実施の形態によるデジタルカメラの第３の例において、その上面の一部を拡大して示す図である。
【図８】従来のデジタルカメラの外装構造の一部分をその上面から拡大して示す図である。
【発明を実施するための形態】
【００２０】
以下、本発明の実施の形態による電子機器について、デジタルカメラを一例に挙げて説明する。
【００２１】
図１は、本発明の実施の形態によるデジタルカメラ２００の一例を正面から示す斜視図である。図１では、フロントカバー１のユニットをカメラ本体（図示せず）側へ組み付ける直前の状態のデジタルカメラ２００が示されている。図示のデジタルカメラ２００は、カメラ筐体２０１を有しており、このカメラ筐体２０１によって、デジタルカメラ２００の外装構造が規定されている。
【００２２】
カメラ筐体２０１は、フロントカバー１（正面外装部材）及びセンターカバー２（第１の外装部材）を備えており、センターカバー２は、フロントカバー１に両面テープ又は接着剤（図示せず）によって取り付けられている。そして、センターカバー２は、加飾リング１１及びＡＦ（オートフォーカス）用補助光窓部１２等の他の構成部品と一体にフロントカバー１のユニットを構成している。
【００２３】
さらに、カメラ筐体２０１は、トップカバー３（第２の外装部材）を備えている。そして、このトップカバー３には、電源ボタン３１、レリーズボタン３２、及びズームレバー３３が配置されている。
【００２４】
つまり、トップカバー３は、電源ボタン３１、レリーズボタン３２、及びズームレバー３３等の各種操作部材とともに一体化したユニットを構成している。そして、このトップカバー３のユニットはカメラ本体側に取り付けられている。
【００２５】
また、カメラ筐体２０１は、リアカバー４を有している。このリアカバー４は、フロントカバー１と同様に、操作部材等の他の機能部品とともに一体したユニットを構成している。そして、このリアカバー４のユニットは、トップカバー３のユニットをカメラ本体側に組み付けた後、組み付けられる。
【００２６】
図２は、図１に示すデジタルカメラ２００の上面の一部を拡大して示す図である。ここで、図２（ａ）は、センターカバー２から延出された延出部２ａ（第１の延出部）の先端突出部２ｂとトップカバー３の先端部３ｂとの位置関係を説明するための図である。また、図２（ｂ）は、センターカバー２とトップカバー３との間に形成された隙間５について説明するための図である。
【００２７】
図２（ａ）に示すように、センターカバー２には、当該センターカバー２から延出する延出部２ａが形成されており、この延出部２ａは先端突出部２ｂを有している。また、トップカバー３には、当該トップカバー３から延出する延出部３ａ（第２の延出部）が形成されており、この延出部３ａは先端部３ｂを有している。
【００２８】
センターカバー２と一体となったフロントカバー１のユニットを、カメラ本体側へ組み付ける場合、延出部２ａの先端突出部２ｂが先端部３ｂに接触し易い位置関係にある。このため、先端突出部２ｂと先端部３ｂとが接触して、両者に傷が入ってしまうことがある。
【００２９】
先端突出部２ｂと先端部３ｂとの接触を回避するため、例えば、図２（ｂ）に示すように、センターカバー２とトップカバー３との間に隙間５を設けるようにする。
【００３０】
この隙間５は、先端突出部２ｂが、センターカバー２と一体となったフロントカバー１のユニットを組み立てる際に描かれる軌跡上において、先端部３ｂに干渉しないだけの隙間量（幅）を有している。隙間５を設けることによって、先端突出部２ｂが、先端部３ｂに接触することなく、組み立てを行うことが可能となる。
【００３１】
一方、上記のように、隙間５を設けると、センターカバー２とトップカバー３とを組み合わせた際に、後述するように、その外観（つまり、組み合わせ部）において、隙間を介してみえる底面部５ａ、つまり、延出部３ａの一部が外観に露出されてしまう。従って、組み立てに当たっては、外観に露出される底面部５ａに、傷が入らないように対処する必要がある。
【００３２】
図３は、図１に示すデジタルカメラ２００を上方から見た図である。図３を参照すると、図１に関連して説明したように、カメラ筐体２０１は、フロントカバー１、センターカバー２、及びトップカバー３を備えている。そして、このトップカバー３には、電源ボタン３１、レリーズボタン３２、及びズームレバー３３等が配置されている。図３において、レリーズボタン３２を取り囲むようにしてズームレバー３３が配置されており、図中ズームレバー３３の左側に電源ボタン３１が配置されている。
【００３３】
図４は、図３のＡ−Ａ線に沿った断面図である。図４を参照して、前述したように、センターカバー２とトップカバー３との間に隙間５を設けると、組み立ての際、延出部３ａの先端部３ｂと延出部２ａの先端突出部２ｂとが互いに干渉することがなくなる。一方、組み込む際に延出部２ａの軌跡上となる領域を含む底面部５ａが外観に露出されることになる。
【００３４】
図示の例においては、トップカバー３から延出する延出部３ａの組み込む際に延出部２ａの軌跡上となる領域に、段差部３ｄが設けられている。この段差部３ｄは、底面部５ａよりも一段高く形成されており、この段差部３ｄによって、センターカバー２とトップカバー３との外観が合わせられる。
【００３５】
つまり、センターカバー２とトップカバー３とを組み込む際には、延出部２ａが段差部３ｄに当接する。
【００３６】
このように、段差部３ｄを延出部３ａに形成すると、フロントカバー１と一体となったセンターカバー２をカメラ本体側に組み付ける際、センターカバー２から延出する延出部２ａの先端突出部２ｂが一段高い段差部３ｄ上を摺動することになる。
【００３７】
つまり、先端突出部２ｂは、外観の一部である底面部５ａを避けて、段差部３ｄ上を摺動することになる。これによって、センターカバー２をカメラ本体側に組み付ける際、底面部５ａが傷つくことを軽減することができる。
【００３８】
なお、センターカバー２と一体になったフロントカバー１のユニットがカメラ本体側に完全に組み込まれた際には、段差部３ｄはセンターカバー２から延出された延出部２ａによって隠れる。よって、カメラの組み立てが完了した際には、段差部３ｄが外観に露出されることはない。
【００３９】
上述したように、延出部３ａに段差部３ｄを形成すると、組み立ての際、外観の一部となる底面部５ａに傷がつくことを軽減することができる。ここでは、さらに、底面部５ａの傷つきを軽減する構成について説明する。
【００４０】
図５は、図３のＢ−Ｂ線に沿った断面図である。ここで、図５（ａ）は、センターカバー２をカメラ本体側に組み込む前の状態を示す断面図である。また、図５（ｂ）は、センターカバー２をカメラ本体側に組み込んだ後の状態を示す断面図である。
【００４１】
図５（ａ）及び（ｂ）を参照すると、センターカバー２から延出する延出部２ａには、突起部２ｃが設けられている。センターカバー２と一体になったフロントカバー１のユニットをカメラ本体側に組み付ける際、突起部２ｃが、隙間５の底面部５ａより一段高い段差部３ｄ上を摺動する。
【００４２】
このため、センターカバー２から延出する延出部２ａの先端突出部２ｂ自体が摺動することがなく、この結果、先端突出部２ｂ自体の傷つきが軽減される。
【００４３】
また、センターカバー２から延出する延出部２ａの先端突出部２ｂとトップカバー３から延出する延出部３ａの一部である底面部５ａとにおいて、高さ方向の隙間が広がることになる。
【００４４】
これによって、センターカバー２から延出する延出部２ａの先端突出部２ｂが、外観の一部である底面部５ａ上を摺動することがなくなって、外観の一部である底面部５ａの傷つきが防止される。
【００４５】
センターカバー２と一体になったフロントカバー１のユニットをカメラ本体側に完全に組み付けた際には、上記の突起部２ｃは、トップカバー３から延出する延出部３ａに設けられた凹部３ｃに嵌り込む（図５（ｂ）参照）。
【００４６】
この凹部３ｃの深さ（凹量）は、突起部２ｃの突出長さ（突出量）よりも大きい。このため、センターカバー２をトップカバー３に組み込んだ後には、突起部２ｃは凹部３ｃに収まることになって、突起部２ｃに起因する段差は、凹部３ｃによって吸収されることになる。
【００４７】
さらに、センターカバー２と一体になったフロントカバー１のユニットがカメラ本体側へ完全に組み込まれた際、凹部３ｃは、センターカバー２から延出する延出部２ａによって外部に対して隠されることになる。このため、デジタルカメラ２００を完全に組み立てた際には、凹部３ｃが外側から見えることはない。
【００４８】
また、上記の突起部２ｃが凹部３ｃに嵌り込む際、凹部３ｃの内側壁３ｅに若干干渉して嵌り込む。これによって、フロントカバー１のユニットとリアカバー４のユニットとは引き込まれる方向に力が作用し、外装カバー同士の隙間が詰まることになる。
【００４９】
上述のように、センターカバー２とトップカバー３との外観の合わせための底面部５ａが傷つくことを防止する際には、２つの手法がある。
【００５０】
第１の手法においては、トップカバー３から延出する延出部３ａに、底面部５ａより一段高い段差部３ｄを設ける。
【００５１】
また、第２の手法においては、センターカバー２から延出する延出部２ａに突起部２ｃを設けるとともに、トップカバー３に、突起部２ｃの突起量よりも深い凹みを有する凹部３ｃを形成する。
【００５２】
前述のように、第１の手法のみを用いても底面部５ａへの傷つきを軽減することができる。さらに、第１及び第２の手法を組み合わせれば、さらに底面部５ａへの傷つき軽減効果が高まる。
【００５３】
ここで、第２の手法のみを用いた場合について説明する。第２の手法のみを用いた際には、突起部２ｃが直接トップカバー３から延出する延出部３ａ上を摺動することになる（段差部３ｄはないので、突起部２ｃは延出部３ａ上を摺動する）。このため、突起部２ｃが底面部５ａを傷つけることはない。
【００５４】
なお、突起部２ｃの摺動範囲は、カメラの組み立てが完了した状態において外部から見えない範囲、つまり、底面部５ａ上には位置しないように設定される。
【００５５】
従って、第２の手法のみを用いた場合においても、外観の一部である底面部５ａが傷つくことを軽減することができる。
【００５６】
一方、第２の手法のみを用いると、突起部２ｃがトップカバー３へ接触する前に、センターカバー２から延出する延出部２ａの先端突出部２ｂがトップカバー３へ接触してしまう可能性がある。この場合には、底面部５ａが傷つくことがある。
【００５７】
従って、第１及び第２の手法を組み合わせて、底面部５ａより一段高い段差部３ｄを設けておけば、先端突出部２ｂがトップカバー３へ接触する前に段差部３ｄ上に接触することになって、底面部５ａが傷つくことを大幅に軽減することができる。
【００５８】
このように、第１及び第２の手法のいずれか一方を用いれば、底面部５ａの傷つきを軽減することができるものの、第１及び第２の手法両方を用いれば、底面部５ａの傷つきをさらに軽減することができる。
【００５９】
上述の例では、センターカバー２とトップカバー３との合わせ形状が半円弧形状の場合について説明したが、合わせ形状は半円弧形状の合わせに限定されるものではなく、他の形状であっても同様にして、第１及び第２の手法を適用することができる。
【００６０】
図６は、本発明の実施の形態によるデジタルカメラ２００の第２の例において、その上面の一部を拡大して示す図である。ここで、図６（ａ）は、センターカバー２から延出する延出部２ａの先端突出部２ｂとトップカバー３の先端部３ｂとの位置関係を説明するための図である。図６（ｂ）は、センターカバー２とトップカバー３との間に形成された隙間５について説明するための図である。
【００６１】
図６（ａ）及び（ｂ）では、センターカバー２とトップカバー３とは斜めの直線で、その合わせ形状が形成されている。図１で説明した半円弧の合わせ形状と同様に、ここでも、センターカバー２とトップカバー３との間に隙間５が設けられている（図６（ｂ）参照）。
【００６２】
図示のように、トップカバー３から延出する延出部３ａには、底面部５ａより一段高い段差部３ｄが設けられている。さらに、センターカバー２から延出する延出部２ａには、前述したようにして、突起部２ｃが設けられている。そして、トップカバー３から延出する延出部３ａには凹部３ｃが形成されている。
【００６３】
センターカバー２と一体になったフロントカバー１のユニットをカメラ本体側に完全に組み付けた際には、上記の突起部２ｃは、トップカバー３から延出する延出部３ａに設けられた凹部３ｃに嵌り込むことになる。
【００６４】
このようにして、これら段差部３ｄ及び突起部２ｃによって、前述したようにして、外観の一部である底面部５ａの傷つきが軽減される。
【００６５】
図７は、本発明の実施の形態によるデジタルカメラ２００の第３の例において、その上面の一部を拡大して示す図である。ここで、図７（ａ）は、センターカバー２から延出された延出部２ａの先端突出部２ｂとトップカバー３の先端部３ｂとの位置関係を説明するための図である。図７（ｂ）は、センターカバー２とトップカバー３との間に形成された隙間５について説明するための図である。
【００６６】
図７（ａ）及び（ｂ）では、センターカバー２とトップカバー３との合わせ形状は、半円弧形状である。ここでは、図２（ａ）及び（ｂ）に示すように、各半円弧が同一の方向に向いているのではなく、お互いに反対を向いた状態となっている。この場合においても、センターカバー２とトップカバー３との間に隙間５が設けられている。
【００６７】
図示のように、トップカバー３から延出する延出部３ａには、底面部５ａより一段高い段差部３ｄが設けられている。さらに、センターカバー２から延出する延出部２ａに突起部２ｃが設けられている。そして、トップカバー３から延出する延出部３ａには凹部３ｃが形成されている。
【００６８】
センターカバー２と一体になったフロントカバー１のユニットをカメラ本体側に完全に組み付けた際には、上記の突起部２ｃは、トップカバー３から延出する延出部３ａに設けられた凹部３ｃに嵌り込むことになる。
【００６９】
この結果、前述したようにして、これら段差部３ｄ及び突起部２ｃによって、外観の一部である底面部５ａの傷つきが軽減される。
【００７０】
以上のように、本発明の実施の形態によるデジタルカメラでは、外装構造における分割線を曲線等の自由な分割線にした場合であっても、外装構造（外観）が傷つくことを軽減して組み立て等を行うことができる。この結果、意匠性を損なうことなく、しかも容易に組み立て等を行うことができる。
【００７１】
なお、上述の説明では、電子機器としてデジタルカメラを例に挙げて説明したが、デジタルカメラ以外の他の電子機器にも適用できるものである。つまり、意匠性を考慮しつつ、組み立てを容易として、さらに、組み立ての際の外観の傷つきを軽減する場合には、デジタルカメラ以外の電子機器にも本実施の形態を適用できるものである。
【符号の説明】
【００７２】
１  フロントカバー
２  センターカバー
２ａ，３ａ  延出部
２ｃ  突起部
３  トップカバー
３ｃ  凹部
３ｄ  段差部
３ｅ  内側壁
５    隙間
５ａ  底面部
【図１】
2011150170.tif 000003
【図２】
2011150170.tif 000004
【図３】
2011150170.tif 000005
【図４】
2011150170.tif 000006
【図５】
2011150170.tif 000007
【図６】
2011150170.tif 000008
【図７】
2011150170.tif 000009
【図８】
2011150170.tif 000010